(57)【特許請求の範囲】
【請求項１】
収容物が収容される本体と、前記本体と一体的になっている状態から、前記本体から切り離して分離可能な蓋部と、前記蓋部が前記本体から分離されるときに摘ままれる前記蓋部に設けられた蓋把持部を含む把持部と、を備える容器であって、
前記蓋把持部は、
前記蓋把持部自身の表面に円弧形状を有する凹部及び／又は凸部と、
前記蓋把持部自身の前記表面及び裏面を貫通する開口部と、を有し、
前記開口部は、前記円弧形状を有する前記凹部及び／又は前記凸部の内側に配置されており、
前記蓋把持部は、前記本体と前記蓋部とが分離される分離位置近傍の両端部に設けられていることを特徴とする容器。
【請求項２】
前記把持部は、前記本体に設けられた本体把持部を含み、
前記本体把持部は、前記本体と前記蓋部とが分離される分離位置近傍の両端部に、前記本体と前記蓋部とが一体的になっている状態において、前記本体と前記蓋部とが分離される分離位置を挟んで前記蓋把持部と並列して配置されていることを特徴とする請求項１に記載の容器。
【請求項３】
前記本体把持部は、
前記本体把持部自身の表面に円弧形状を有する凹部及び／又は凸部と、
前記本体把持部自身の前記表面及び裏面を貫通する開口部と、を有し、
前記開口部は、前記円弧形状を有する前記凹部及び／又は前記凸部の内側に配置されていることを特徴とする請求項２に記載の容器。
【発明の詳細な説明】
【技術分野】
【０００１】
本発明は、容器に関する。
【背景技術】
【０００２】
従来、容器は、収容物が収容された本体と蓋部とが一体となっている状態で、収容物を密封する。使用者は、このような容器から内容物を出す場合、蓋部を摘まみ本体から分離することで、収容物を本体から出すことができる。
【０００３】
このような容器として、内容物が充填密封された胴部の口端部と充填口部との間に、充填口部を引き裂いて胴部の口端部を開口するための環状凹部が形成され、胴部の口端部と充填口部に、充填口部を口端部から引き裂く際に摘まむ摘まみ片を備えた容器が提案されている（特許文献１参照）。この容器によれば、使用者は、摘まみ片を摘まみ、充填口部を口端部から引き裂くことで、充填口部と口端部とを分離することができる。
【先行技術文献】
【特許文献】
【０００４】
【特許文献１】特開２００４−０５９１４１号公報
【発明の概要】
【発明が解決しようとする課題】
【０００５】
しかしながら、特許文献１の容器では、使用者の握力が弱い場合、充填口部と口端部とを分離可能な力で、摘まみ片を握ることができず、指が滑ってしまい、開封できない場合がある。
【０００６】
したがって、本発明では、上記のような観点から、使用者の握力が弱い場合でも、容易に開封できる容器を提供することを目的とする。
【課題を解決するための手段】
【０００７】
上記課題を解決するため、本発明は、以下のような解決手段を提供する。
【０００８】
（１）本発明の第１の態様では、収容物が収容される本体と、前記本体と一体的になっている状態から、前記本体から分離可能な蓋部と、前記蓋部が前記本体から分離されるときに摘ままれる把持部と、を備える容器であって、
前記把持部は、該把持部自身の表面に前記凹部及び／又は前記凸部を有し、
前記凹部及び／又は前記凸部は、前記本体と前記蓋部とが一体的になっている状態において、前記表面側から見て、円弧形状に形成されていることを特徴とする。
【０００９】
（２）また、本発明は、（１）の容器において、前記把持部は、前記表面に形成された孔である開口部を、更に有し、
前記開口部は、前記凹部及び／又は前記凸部の内側に配置されていてもよい。
【００１０】
（３）また、本発明は、（１）又は（２）の容器において、前記把持部は、前記本体に設けられた本体把持部と、前記蓋部に設けられた蓋把持部と、を含み、
前記本体把持部及び前記蓋把持部は、前記本体と前記蓋部とが一体的になっている状態において、前記本体と前記蓋部とが分離される分離位置を挟んで、並列して配置されていてもよい。
【発明の効果】
【００１１】
本発明によれば、使用者の握力が弱い場合でも、容易に開封できる容器を提供することが可能となる。
【図面の簡単な説明】
【００１２】
【図１】本発明の実施形態に係る容器の斜視図である。
【図２】図１に示す容器のＡ−Ａ’断面図である。
【図３】本発明の実施形態の応用例１に係る容器の斜視図である。
【図４】本発明の実施形態の応用例１に係る容器の蓋部周辺の拡大図である。
【図５】本発明の実施形態の変形例１に係る容器の蓋部周辺の拡大図である。
【図６】本発明の実施形態の応用例２に係る容器の斜視図である。
【図７】本発明の実施形態の変形例２に係る容器の斜視図である。
【発明を実施するための形態】
【００１３】
以下、添付図面を参照して、本発明を実施するための形態（以下、実施形態）について詳細に説明する。以降の図においては、実施形態の説明の全体を通して同じ要素には同じ番号又は符号を付している。
【００１４】
（全体構成）
図１は、本発明の実施形態に係る容器の斜視図である。本実施形態に係る容器１は、収容物が収容される本体１０と、本体１０と一体的になっている状態から、本体１０から分離可能な蓋部２０と、蓋部２０が本体１０から分離されるときに摘ままれる把持部３０と、を備える。なお、本実施形態において、収容物は、その形態（固体、液体等）を問わず、飲食料、医薬品等の容器に入れることが可能な物が含まれる。
【００１５】
本実施形態に係る本体１０及び蓋部２０は、アルミや合成樹脂で形成された袋状体（例えば、パウチ等）で形成されている。本体１０及び蓋部２０は、本体１０と蓋部２０とが分離される分離位置２５に形成された破断線を介して一体的な状態となり、蓋部２０を本体１０から切り離すように引っ張ることで、互いに分離される。
【００１６】
把持部３０は、本体１０に設けられた本体把持部３０Ａと、蓋部２０に設けられた蓋把持部３０Ｂと、を含む。本体把持部３０Ａは、本体１０において、分離位置２５近傍の両端部に設けられている。蓋把持部３０Ｂは、蓋部２０において、分離位置２５近傍の両端部に設けられている。本体把持部３０Ａ及び蓋把持部３０Ｂは、本体１０と蓋部２０とが一体的になっている状態（図１に示す状態）において、分離位置２５を挟んで、並列して配置されている。
【００１７】
なお、把持部３０は、本体把持部３０Ａを省略し、蓋把持部３０Ｂのみ設けてもよい。また、本実施形態において、本体把持部３０Ａ及び蓋把持部３０Ｂは、分離位置２５近傍の両端部に設けられているが、これに限らず、一方の端部にのみ設けてもよい。
【００１８】
容器１において、把持部３０は、把持部３０自身の表面に凸部３１を有し、更に、把持部３０の表面に形成された孔である開口部３２を有する。凸部３１は、本体１０と蓋部２０とが一体的になっている状態（図１に示す状態）において、本体１０及び蓋部２０の表面側から見て、円弧形状（例えば、略Ｃ字形状等）に形成されている。なお、本実施形態では、凸部を例に説明するが、凸部３１の代わりに凹部を形成してもよいし、凸部３１とともに凹部を形成してもよい（例えば、表面側に凸部３１が形成され、裏面側に凹部が形成された態様）。また、図１に示す例では、凸部３１は、本体１０及び蓋部２０の表面側から見て、本体１０及び蓋部２０の内側に円弧形状を向けて設けられているが、これに限らず、円弧形状を任意の方向（例えば、容器１の形態に応じて本体１０から蓋部２０を分離するときに、使用者の指が引っ掛かりやすい方向）に向けて設けてもよい。
【００１９】
図２は、図１に示す容器のＡ−Ａ’断面図である。凸部３１は、蓋部２０（又は図１に示す本体１０）の表面から断面が円弧形状に突出している。なお、凸部３１の断面の形状は、円弧形状に限らず、使用者の指が引っ掛かれば、四角形状、三角形状、波形状等の任意の形状とすることができる。
【００２０】
また、凸部３１は、蓋部２０（又は図１に示す本体１０）の色と、異なる色に着色してもよい。また、凸部３１は、凸部３１と開口部３２との間の色と、異なる色に着色してもよい。なお、この場合、凸部３１は、蓋部２０（又は図１に示す本体１０）の表面から突出させなくともよい。
【００２１】
図１に戻って、開口部３２は、本体１０及び蓋部２０の表面側から見て円形状に形成され、凸部３１の内側に配置されている。
【００２２】
容器１において、使用者は、一方の手の指で、本体把持部３０Ａの開口部３２を挟み、他方の手の指で、蓋把持部３０Ｂの開口部３２を挟み、一方の手と他方の手を互いに反対方向に引っ張り、本体１０から蓋部２０を分離する。このとき、指が円弧形状の凸部３１に引っ掛かり指が滑らないので、使用者は、凸部３１が無い場合に比べ小さい力で、容器１を開封することができる。
【００２３】
なお、開口部３２の本体１０及び蓋部２０の表面側から見た形状は、円形状に限らず、使用者が視認可能であれば、四角形状、三角形状等の任意の形状とすることができる。
【００２４】
（応用例１）
図３は、本発明の実施形態の応用例１に係る容器の斜視図である。応用例１に係る容器１Ａは、本体１０及び蓋部２０の形態が実施形態に係る容器１と異なる。容器１Ａにおける本体１０及び蓋部２０は、例えば、液体の飲食料等が収容されるボトル形状（例えば、ビン、ペットボトル等）で形成されている。容器１Ａにおいて、本体１０及び蓋部２０は、本体１０に蓋部２０が螺合され分離位置２５で接して一体的な状態となり、蓋部２０を所定方向に回転させることで、互いに分離される。
【００２５】
容器１Ａの本体１０は、収容物が収容されるボトル部１１と、ボトル部１１の注ぎ口に形成され、ボトル部１１の表面から突出し、蓋部２０の回転可能な方向に面する矩形の平板形状に形成された本体平板部１２と、を備える。
【００２６】
容器１Ａの蓋部２０は、本体１０と螺合するキャップ部２１と、キャップ部２１の表面から突出し、蓋部２０の回転可能な方向に面する矩形の平板形状に形成された蓋平板部２２と、を備える。
【００２７】
本体平板部１２及び蓋平板部２２は、本体１０及び蓋部２０が一体的な状態（図３に示す状態）において、同一平面上に配置されている。
【００２８】
図４は、本発明の実施形態の応用例１に係る容器の蓋部周辺の拡大図である。容器１Ａの把持部３０は、本体１０の本体平板部１２に設けられた本体把持部３０Ａと、蓋部２０の蓋平板部２２に設けられた蓋把持部３０Ｂと、を含む。
【００２９】
容器１Ａにおいて、使用者は、一方の手の指で、本体把持部３０Ａの開口部３２を挟み、他方の手の指で、蓋把持部３０Ｂの開口部３２を挟み、蓋部２０を所定方向（例えば、図４中の矢印方向）へ回転させて、本体１０から蓋部２０を分離する。このとき、指が凸部３１に引っ掛かり指が滑らないので、使用者は、凸部３１が無い場合に比べ小さい力で、容器１Ａを開封することができる。
【００３０】
（変形例１）
図５は、本発明の実施形態の変形例１に係る容器の蓋部周辺の拡大図である。変形例１に係る容器１Ａ’は、本体平板部１２’及び蓋平板部２２’の形状が、応用例１に係る容器１Ａと異なる。
【００３１】
本体平板部１２’は、ボトル部１１の注ぎ口に形成され、ボトル部１１の表面から突出し、蓋部２０の回転可能な方向に面する平板形状に形成され、その外縁の形状が凸部３１に沿って円弧形状に形成されている。
【００３２】
蓋平板部２２’は、キャップ部２１の表面から突出し、蓋部２０の回転可能な方向に面する平板形状に形成され、その外縁の形状が凸部３１に沿って円弧形状に形成されている。
【００３３】
このように、本体１０の本体平板部や蓋部２０の蓋平板部の形状は、把持部３０を形成できれば、任意の形状とすることができる。
【００３４】
（応用例２）
図６は、本発明の実施形態の応用例２に係る容器の斜視図である。応用例２に係る容器１Ｂは、本体１０及び蓋部２０の形態が実施形態に係る容器１と異なる。また、応用例２に係る容器１Ｂは、蓋部２０にのみ把持部３０（蓋把持部３０Ｂ）が設けられている。容器１Ｂにおける本体１０及び蓋部２０は、例えば、プリン等の個体の食品等が収容される上面視円形のカップ形状（例えば、プラスチック（合成樹脂）製の包装用容器等）で形成されている。容器１Ｂにおいて、本体１０及び蓋部２０は、上方が開放されたカップ形状の本体１０の上端に、上面視円形のシート形状に形成された蓋部２０の外縁近傍が接着されて一体的な状態となり、蓋部２０を所定方向に引っ張ることで、互いに分離される。
【００３５】
容器１Ｂの蓋部２０は、本体１０にその外縁が接着されたシート部２６と、シート部２６の本体１０に接着された部分の外側に形成され、平面視で円弧形状に形成された摘まみ部２７と、を備える。
【００３６】
容器１Ｂの把持部３０は、蓋部２０の摘まみ部２７に設けられた蓋把持部３０Ｂである。このように、把持部３０は、本体１０又は蓋部２０のいずれか一方のみに設けてもよい。
【００３７】
容器１Ｂにおいて、使用者は、一方の手の指で、本体１０を掴み、他方の手の指で、摘まみ部２７に設けられた蓋把持部３０Ｂの開口部３２を挟み、蓋部２０を、本体１０から剥がす方向に引っ張る。このとき、指が円弧形状に形成された凸部３１に引っ掛かり指が滑らないので、使用者は、凸部３１が無い場合に比べ小さい力で、容器１Ｂを開封することができる。
【００３８】
（変形例２）
図７は、本発明の実施形態の変形例２に係る容器の斜視図である。変形例２に係る容器１Ｂ’は、本体１０及び蓋部２０の形状が、応用例２に係る容器１Ｂと異なる。容器１Ｂ’における本体１０及び蓋部２０は、例えば、豆腐等の個体の食品等が収容される上面視矩形のケース形状（例えば、プラスチック（合成樹脂）製の包装用容器等）で形成されている。容器１Ｂ’において、本体１０及び蓋部２０は、上方が開放されたケース形状の本体１０の上端に、上面視矩形のシート形状に形成された蓋部２０の外縁近傍が接着されて一体的な状態となり、蓋部２０を所定方向に引っ張ることで、互いに分離される。
【００３９】
このように、本体１０や蓋部２０の形状は、本体１０と蓋部２０とを一体的な状態から分離するものであれば、任意の形状とすることができる。
【００４０】
（実施形態の効果）
本実施形態、応用例１，２及び変形例１，２によれば以下の作用効果を奏する。本容器１は、収容物が収容される本体１０と、本体１０と一体的になっている状態から、本体１０から分離可能な蓋部２０と、蓋部２０が本体１０から分離されるときに摘ままれる把持部３０と、を備え、把持部３０は、本体１０及び／又は蓋部２０の表面から突出する凸部３１と、を有し、凸部３１は、本体１０と蓋部２０とが一体的になっている状態において、本体１０及び／又は蓋部２０の表面側から見て、円弧形状に形成されている。
【００４１】
これにより、使用者は、把持部３０を摘まみ、蓋部２０を引っ張り、本体１０から蓋部２０を分離する。このとき、指が円弧形状の凸部３１に引っ掛かり指が滑らないので、使用者は、凸部３１が無い場合に比べ小さい力で、容器１を開封することができる。また、凸部３１を円弧形状に形成したので、把持部３０を摘まむ角度が異なっても、確実に使用者の指が引っ掛かる。よって、例えば、高齢になり指先の力が弱まってきた者でも、容易に容器の開封が可能となる。したがって、使用者の握力が弱い場合でも、容易に開封できる容器を提供することが可能となる。
【００４２】
また、本容器１は、把持部３０が、本体１０及び／又は蓋部２０の表面に形成された孔であり、凸部３１の内側に配置されている開口部３２を、更に有する。
【００４３】
これにより、使用者は、開口部３２を目印として、この開口部３２を指で挟み、一方の手と他方の手を互いに反対方向に引っ張ることで、自然に指が円弧形状の凸部３１及び開口部３２に引っ掛かり指が滑らずに、容易に容器の開封が可能となる。よって、開口部３２を設けることで、容易に開封できるポジションを示すことができるとともに、容易に容器の開封が可能となる。したがって、使用者の握力が弱い場合でも、より容易に開封できる容器を提供することが可能となる。
【００４４】
また、本実施形態、応用例１及び変形例１によれば以下の作用効果を奏する。本容器１は、把持部３０が、本体１０に設けられた本体把持部３０Ａと、蓋部２０に設けられた蓋把持部３０Ｂと、を含み、本体把持部３０Ａ及び蓋把持部３０Ｂが、本体１０と蓋部２０とが一体的になっている状態において、本体１０と蓋部２０とが分離される分離位置２５を挟んで、並列して配置されている。
【００４５】
これにより、使用者は、一方の手の指で、本体把持部３０Ａの開口部３２を挟み、他方の手の指で、蓋把持部３０Ｂの開口部３２を挟み、一方の手と他方の手を互いに反対方向に引っ張り、本体１０から蓋部２０を分離する。このとき、両手の指が円弧形状の凸部３１に引っ掛かり指が滑らない。よって、使用者は、両手を使い、かつ滑らずに容器１を開封できる。したがって、使用者の握力が弱い場合でも、より容易に開封できる容器を提供することが可能となる。
【００４６】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４７】
１，１Ａ，１Ａ’，１Ｂ，１Ｂ’  容器
１０    本体
１１    ボトル部
１２    本体平板部
２０    蓋部
２１    キャップ部
２２    蓋平板部
２５    分離位置
２６    シート部
２７    摘まみ部
３０    把持部
３０Ａ  本体把持部
３０Ｂ  蓋把持部
３１    凸部
３２    開口部
【要約】
【課題】使用者の握力が弱い場合でも、容易に開封できる容器を提供することを目的とする。
【解決手段】本容器１は、収容物が収容される本体１０と、本体１０と一体的になっている状態から、本体１０から分離可能な蓋部２０と、蓋部２０が本体１０から分離されるときに摘ままれる把持部３０と、を備え、把持部３０は、把持部３０自身の表面に凸部３１を有し、凸部３１は、本体１０と蓋部２０とが一体的になっている状態において、本体１０及び／又は蓋部２０の表面側から見て、円弧形状に形成されている。
【選択図】図１【図１】
0005971782.tif 000002
【図２】
0005971782.tif 000003
【図３】
0005971782.tif 000004
【図４】
0005971782.tif 000005
【図５】
0005971782.tif 000006
【図６】
0005971782.tif 000007
【図７】
0005971782.tif 000008